(57)【特許請求の範囲】
【請求項１】
室内と室外を区画する壁板の壁孔に固定され、給水管，給湯管等を貫通させる貫通金具は、給水管及び給湯管が貫通する第１開口孔が形成され、上下又は左右の何れか一方又は両方に伸縮自在として壁孔に固定される第１プレートと、該第１プレートに結合され、前記第１開口孔と前後に向かい合わせて第２開口孔が形成され、前面にねじ孔を穿設した第２プレートと、給水管，給湯管を貫通するガイド部が形成され、前記第２プレートのねじ孔と前後に向かい合わせてねじ孔を穿設し、各ねじ孔へのねじの締結により第２プレートに結合されるカバーとを備え、前記第１プレートは、壁孔の内周面に固定される第１リングと第２リングとを設け、該両リングは互いの左右両先端に縦孔をそれぞれ穿設し、この縦孔の左右に重ね合わせる少なくとも一方は両リングを結合するためのボルトのねじ部より縦長とすることで、ボルトの両縦孔への結合位置を上下スライド自在に構成し、一方のリングを他方のリングに対し上下伸縮自在としたことを特徴とする貫通金具。
【請求項２】
前記第１プレートの第１リングと第２リングは、両縦孔を重ね合わせて一対のボルトと回転棒とからなるターンバックルにより結合し、回転棒の操作で両リングを左右伸縮自在としたことを特徴とする請求項１記載の貫通金具。
貫通金具。
【請求項３】
前記第１プレートの外周面には、壁孔の内周面全体に隙間無く密着させることのできる弾性パッキンを装着したことを特徴とする請求項１又は請求項２記載の貫通金具。
【請求項４】
前記カバーは、給水管が貫通する第１ガイド部と、給湯管が貫通する第２ガイド部と、浴槽と給湯器を接続する浴槽追い焚き用の往管及び復管が貫通する第３ガイド部とが形成されたことを特徴とする請求項１乃至３の何れかに記載の貫通金具。
【請求項５】
前記カバーの各ガイド部には、漏水防止用のキャップを装着したことを特徴とする請求項４記載の貫通金具。
【請求項６】
前記給水管及び給湯管は保護管により保護し、該保護管により覆われた状態で貫通したことを特徴とする請求項１乃至５の何れかに記載の貫通金具。
【発明の詳細な説明】
【０００１】
【発明の属する技術分野】
本発明は、給水管，給湯管等を、壁板を貫通させて屋外に設置された給湯器に接続する場合に、壁板に固定してこれらの管を貫通させる貫通金具に関するものである。
【０００２】
【従来の技術】
従来、給水管，給湯管を、壁板を貫通させて屋外に設置された給湯器に接続する場合に、壁板に固定してこれら管を貫通させる貫通金具として公知のものに、図８及び図９のものがある。この貫通金具について簡単に説明すると、水，湯用の各ヘッダーが配置されている室内５０と、給湯器が設置されている室外５１は、壁板５２により仕切られており、該壁板５２には室内５０と室外５１を貫通する壁孔５３が穿設され、該壁孔５３に貫通金具５４をねじ５５により固定している。貫通金具５４は壁孔５３の内周面に嵌合させる筒部５６と、室内５０と室外５１を貫通させる一対のガイド部５７，５８とが形成され、第１ガイド部５７には水用ヘッダーと給湯器を接続する給水管（図示省略）、第２ガイド部５８には湯用ヘッダーと給湯器を接続する給湯管５９を貫通させている。
【０００３】
上記の貫通金具は、筒部を壁孔に嵌合させるようにして固定しているが、筒部と壁孔の寸法が異なっていても、その寸法誤差を吸収する手段を備えておらず、筒部と壁孔の間に隙間６０が発生してしまい、貫通金具を壁孔の内周面に密着させることができない。したがって固定状態が不安定となり、がたつきが発生したり、壁板と貫通金具の間の隙間に雨水等が浸入し、室内の床板を水浸しにする恐れがあった。
【０００４】
【発明が解決しようとする課題】
本発明が解決しようとする課題は、給水管，給湯管等を壁板に貫通させる貫通金具を、壁板の壁孔に隙間なく密着させ、がたつき及び漏水が発生しないように固定することである。
【０００５】
【課題を解決するための手段】
本発明は請求項１では、室内と室外を区画する壁板の壁孔に固定され、給水管，給湯管等を貫通させる貫通金具は、給水管及び給湯管が貫通する第１開口孔が形成され、上下又は左右の何れか一方又は両方に伸縮自在として壁孔に固定される第１プレートと、該第１プレートに結合され、前記第１開口孔と前後に向かい合わせて第２開口孔が形成され、前面にねじ孔を穿設した第２プレートと、給水管，給湯管を貫通するガイド部が形成され、前記第２プレートのねじ孔と前後に向かい合わせてねじ孔を穿設し、各ねじ孔へのねじの締結により第２プレートに結合されるカバーとを備え、前記第１プレートは、壁孔の内周面に固定される第１リングと第２リングとを設け、該両リングは互いの左右両先端に縦孔をそれぞれ穿設し、この縦孔の左右に重ね合わせる少なくとも一方は両リングを結合するためのボルトのねじ部より縦長とすることで、ボルトの両縦孔への結合位置を上下スライド自在に構成し、一方のリングを他方のリングに対し上下伸縮自在としたものである。
【０００６】
請求項２では、前記第１プレートの第１リングと第２リングは、両縦孔を重ね合わせて一対のボルトと回転棒とからなるターンバックルにより結合し、回転棒の操作で両リングを左右伸縮自在としたものである。
【０００７】
請求項３では、前記第１プレートの外周面には、壁孔の内周面全体に隙間無く密着させることのできる弾性パッキンを装着したものである。
【０００８】
請求項４では、前記カバーは、給水管が貫通する第１ガイド部と、給湯管が貫通する第２ガイド部と、浴槽と給湯器を接続する浴槽追い焚き用の往管及び復管が貫通する第３ガイド部とが形成されたものである。
【０００９】
請求項５では、前記カバーの各ガイド部には、漏水防止用のキャップを装着したものである。
【００１０】
請求項６では、前記給水管及び給湯管は保護管により保護し、該保護管により覆われた状態で貫通したものである。
【００１１】
【発明の実施の形態】
以下、本発明の実施の形態を図に基づいて詳細に説明する。
この発明は例えば一般の住宅、アパート等に適用できるものであり、図１及び図２に示すように、住宅の室内Ａと室外Ｂは浴室等に立設した壁板１により仕切られ、室外Ｂには給湯器Ｃが設置されている。また、室内Ａに配置されているヘッダー（図示省略）と室外Ｂの給湯器Ｃは、水用ヘッダーから給湯器Ｃへ水を供給するための給水管３、給湯器Ｃから湯用ヘッダーへ給湯器Ｃで加熱された湯を供給するための給湯管４が接続し、室内Ａに配置されている浴槽（図示省略）と給湯器Ｃは、浴槽内の低温の水又は湯を追い焚きするための往管５及び復管６により接続するものである。そして前記給水管３，給湯管４，往管５及び復管６は、容易に折曲できる合成樹脂製の架橋ポリエチレン管、ポリブテン管等で形成されている。
【００１２】
図３に示すように前記壁板１には、２つの円形孔の一部を上下に重なり合うように繋げることで、略だるま形とした形状の壁孔２を穿設している。この壁孔２は前記給水管３，給湯管４，往管５及び復管６をそれぞれ部分的に覆って、各管が壁孔２に接触することで傷が付くことがないように保護する、筒状とした４本の保護管７，７ａ，８，８ａを同時に貫通させることのできる寸法であり、この壁孔２に貫通金具Ｄが固定される。
【００１３】
前記壁孔２に固定される貫通金具Ｄは、壁孔２に固定される第１プレート９と、該第１プレート９に結合する第２プレート２８と、該第２プレート２８に結合し、両プレート９，２８を壁板１の表側から覆うカバー４０とを備えている。
【００１４】
前記第１プレート９は図３乃至図５に示すように、平面略Ｃ字形に形成したリング１０，１１が一対と、互いのリング１０，１１を向かい合わせて上下に結合するターンバックル２２と、両リング１０，１１の側面全体を覆うように接着した第１弾性パッキン２７とからなり、この第１弾性パッキン２７は前記壁孔２の内周面全周に密着する形状である。
【００１５】
前記各リングは、略同一形状をした第１リング１０と第２リング１１とを互いに向かい合わせて，ターンバックル２２により回転自在に結合することで、前記壁孔２と略同一形状のだるま形となり、両リング１０，１１の間に給水管３及び給湯管４が貫通する第１開口孔１２を形成したものである。
【００１６】
前記各リング１０，１１は金属又は合成樹脂からなり、前部外周面には、外周側に向けて折曲した３個の第１突出部１３が互いに間隔を設けて形成されている。各第１突出部１３には円弧孔１４がそれぞれ穿設され、各円弧孔１４には第１ねじ１５の雄ねじ部１５ａが挿通可能であり、該第１ねじ１５の雄ねじ部１５ａを円弧孔１４に挿通して壁板１に締結することにより、各リング１０，１１を壁板１の壁孔２に前側から固定することができる。なお、前記第１突出部の個数に制限はなく、複数個形成されていればよい。
【００１７】
また、各リング１０，１１の内周側には、前記第２プレート２８を前側から重ね合わせて結合するための第１ねじ孔１７を穿設した第２突出部１６が、上下及び左右に互いに間隔を設けて複数個形成されている。なお、本実施例の場合、第１リング１０には３個の第２突出部１６が、第２リング１１には２個の第２突出部１６が形成されている。各第２突出部１６には第１ねじ孔１７がそれぞれ穿設されており、各第１ねじ孔１７には第２ねじ１５ｂの雄ねじ部１５ｃを螺着可能である。
【００１８】
前記第１リング１０は周方向両先端に、表側に向けて突出した内側結合部１８，１８をそれぞれ形成している。前記第２リング１１は周方向両先端に、前記内側結合部１８と重なり合うように表側に向けて突出した外側結合部２０，２０をそれぞれ形成している。そして、各内側結合部１８，１８には、第１縦孔１９，１９を縦長に穿設し、各外側結合部２０，２０には、前記第１縦孔１９と略同一形状の第２縦孔２１，２１を縦長に穿設し、内側結合部１８と外側結合部２０は、後述するターンバックル２２のボルト２３，２５により結合される。なお、本実施例では第１リングと第２リングの両方に縦孔を穿設しているが、一方のみを縦孔とし、他方は丸孔としてもよい。
【００１９】
前記ターンバックル２２は両リング１０，１１を上下及び左右に伸縮させて上下及び左右の長さを調節自在に結合するため、一対のボルト２３，２５と、一対の緩み止め用のナット２４，２４ａと、両ボルト２３，２５を結合する回転棒２６とを備え、回転棒２６を回転方向に操作すれば、両ボルト２３，２５との螺合位置が調節され、両リング１０，１１の左右の間隔を調節自在である。
【００２０】
前記各ボルト２３，２５は第１リング１０と第２リング１１を左右から結合するものであり、両リング１０，１１の右側を結合する第１ボルト２３は、頭部２３ａと左ねじ部２３ｂとを備え、頭部２３ａの外径は前記両結合部１８，２０の第１縦孔１９及び第２縦孔２１より大径で、左ねじ部２３ｂは両縦孔１９，２１を挿通可能な外径で、両縦孔１９，２１に挿通した状態で上下に移動自在である。また、第１ボルト２３の左ねじ部２３ｂを両縦孔１９，２１に挿通して、緩み止め用のナット２４を螺着すれば、頭部２３ａとナット２４の間に両結合部１８，２０が挟着され、第１リング１０と第２リング１１の右側を結合することができる。
【００２１】
前記両リング１０，１１の左側を結合する第２ボルト２５は、頭部２５ａと右ねじ部２５ｂとを備え、頭部２５ａの外径は前記両結合部１８，２０の第１縦孔１９及び第２縦孔２１より大径で、右ねじ部２５ｂは両縦孔１９，２１を挿通可能な外径で、両縦孔１９，２１を挿通した状態で上下に移動自在である。また、第２ボルト２５の右ねじ部２５ｂを両縦孔１９，２１に挿通して、緩み止め用のナット２４ａを螺着すれば、頭部２５ａとナット２４ａの間に両結合部１８，２０が挟着され、第１リング１０と第２リング１１の左側を結合することができる。
【００２２】
従って、両リング１０，１１は第１ボルト２３と第２ボルト２５とにより結合され、両ボルト２３，２５の各ねじ部２３ｂ，２５ｂが縦孔１９，２１内をスライドする範囲で上下に移動して結合位置を調節することができ、その結合位置を壁板１の壁孔２に合わせて上下に伸縮させることにより、第１プレート９全体の上下の長さを調節可能である。
【００２３】
前記回転棒２６は断面多角形状の略円筒形で、内周面の右側端から中央部にかけて、前記第１ボルト２３の左ねじ部２３ｂに螺合可能な左ねじ孔２６ａが形成され、内周面の左側端から中央部にかけて、前記第２ボルト２５の右ねじ部２５ｂに螺合可能な右ねじ孔２６ｂが形成されている。
【００２４】
ここでターンバックル２２は回転棒２６を回転させることで、両ボルト２３，２５が回転棒２６から離れる方向に移動したり、接近する方向に移動し、両ボルト２３，２５に結合している第１プレート９の左右の長さを調節することができ、第１プレート９と壁孔２の左右の間隔が異なる場合でも、第１プレート９を左右に伸縮させて壁孔２に隙間なく固定することができる。
【００２５】
前記第１弾性パッキン２７は、発泡合成樹脂又は合成ゴム等の充分な弾性を有する材料からなり、壁孔２内周面と向かい合う各リング１０，１１の環状部１０ａ，１１ａを覆うようにして接着され、壁板１の壁孔２内周面に強力に密着させることで、室外Ｂから室内Ａへの漏水を防止するものである。
【００２６】
前記第２プレート２８は金属又は合成樹脂からなり、図３、図６及び図７に示すように、前記第１プレート９に対し前側から前後に重ね合わせることのできる縦長のリング形で、枠状の本体２９の表面及び裏面の全体に、前記第１弾性パッキン２７と同様の材質である第２弾性パッキン２７ａをそれぞれ接着し、本体２９の内側には、第１プレート９の第１開口孔１２と前後に向かい合い、給水管３及び給湯管４が貫通する第２開口孔３０が形成されている。
【００２７】
また、本体２９の内周側で、前記第１プレート９の第２突出部１６と向かい合う位置に５個の突出部を形成し、下方の第３突出部３１は、前記第２リング１１の第２突出部１６と前後に重なり合う位置に左右１対形成され、前記第１縦孔１９及び第２縦孔２１と略同一寸法で縦長の第３長孔３２と、第２ねじ孔３３とが、左右に併設してそれぞれ穿設されている。ここで縦長の第３長孔３２は、後述するカバー４０を固定する場合に第１プレート９が上下に伸縮しても、カバー４０の第５ねじ孔４４と、第１プレート９に固定される第２プレート２８の第２ねじ孔３３とが、必ず前後に一致させるためのものである。
【００２８】
また、第２プレート２８の上下中央よりやや上方の第４突出部３４は、前記第１リング１０の第２突出部１６と前後に重なり合う位置に左右１対形成され、横長の第４長孔３５と第３ねじ孔３６とが上下に併設してそれぞれ穿設されている。ここで横長の第４長孔３５は、カバー４０を固定する場合に第１プレート９が左右に伸縮しても、カバー４０の第５ねじ孔４５と、第１プレート９に固定される第２プレート２８の第３ねじ孔３６とが、必ず前後に一致させるためのものである。
【００２９】
そして第２プレート２８の上端より下方に垂下した第５突出部３７は、前記第１リング１０の上端の第２突出部１６と前後に重なり合う位置に形成され、丸孔３８と第４ねじ孔３９とが上下に併設して穿設されている。
【００３０】
したがって、この第２プレート２８は第２ねじ１５ｂを各第３突出部３１の各第３長孔３２、各第４突出部３４の各第４長孔３５、第５突出部３７の丸孔３８にそれぞれ挿通し、第１プレート９の各第２突出部１６に穿設された第１ねじ孔１７にそれぞれ螺着することで、第１プレート９に壁板１の前側から結合することができるものである。
【００３１】
前記カバー４０は金属又は合成樹脂からなり、図１及び図２に示すように給水管３が挿通した第１保護管７を貫通する第１ガイド部４１と、給湯管４が挿通した第２保護管７ａを貫通する第２ガイド部４２と、往管５が挿通した第３保護管８及び復管６が挿通した第４保護管８ａの両方を同時にまとめて貫通する第３ガイド部４３とが形成されている。第１ガイド部４１と第２ガイド部４２は、左右に間隔を設けて併設され、第３ガイド部４３は第１ガイド部４１と第２ガイド部４２の下部に形成され、互いのガイド部４１，４２，４３はその中心部を結ぶ線が逆三角形となるように配置されている。
【００３２】
このように給水管，給湯管，往管及び復管を単一の貫通金具に貫通させると、壁板に固定する貫通金具を１つで済ませることができ、貫通金具を複数個用意して各管をそれぞれの貫通金具に貫通させる場合に比較して、施工性及び美観を向上させることができる。
【００３３】
また、各ガイド部４１，４２，４３は、室外Ｂと向かい合う各出口４１ａ，４２ａ，４３ａが、室内Ａと向かい合う各入口（図示省略）より高い位置となるように、壁板１から前部に向けて上方に傾斜する円筒形に形成されている。
【００３４】
そして第１ガイド部４１には第１キャップ４４を、第２ガイド部４２には第２キャップ４４ｂを、第３ガイド部４３には第３キャップ４４ｄをそれぞれ装着できるようにしている。各キャップ４４，４４ｂ，４４ｄは円筒状で、第１キャップ４４の先端には第１ガイド部４１の出口４１ａより小径とした小径部４４ａが形成され、第２キャップ４４ｂの先端には第２ガイド部４２の出口４２ａより小径とした小径部４４ａが形成され、第３キャップ４４ｄの先端には第３ガイド部４３の出口４３ａより小径とした２つの小径部４４ｅが形成されている。したがって、各キャップ４４，４４ｂ，４４ｄは、給水管３，給湯管４，往管５及び復管６等を各ガイド部４１，４２，４３の出口４１ａ，４２ａ，４３ａから露出させた後に装着することで、各出口４１ａ，４２ａ，４３ａとの間の隙間をなくし、室外Ｂから室内Ａへの漏水を防止するものである。
【００３５】
前記カバー４０は前記第２プレート２８の各突出部３１，３４，３７に穿設されている各ねじ孔３３，３６，３９と前後に重なり合うように第５ねじ孔４５がそれぞれ穿設されており、カバー４０を第２プレート２８に重ね合わせ、各第３ねじ１５ｄを締結すれば、第２プレート２８に固定することができる。
【００３６】
このような貫通金具Ｄを壁板１に取り付けるには、まず図３に示すように、壁板１に貫通金具Ｄを固定するための壁孔２を穿設する。次に図４及び図５に示すように、第１プレート９を壁板１の表側から固定する。第１プレート９の第１リング１０と第２リング１１は、ターンバックル２２により結合しており、上下に伸縮させて高さを調節自在であり、壁孔２の上下寸法と第１プレート９の上下寸法が異なっていても、ターンバックル２２の両ボルト２３，２５が、内側結合部１９及び外側結合部２０の縦孔１９，２１を移動する範囲で上下高さを調節可能であり、壁孔２と第１プレート９の上下寸法誤差を吸収することができる。また、ターンバックル２２の回転棒２６を回転方向に操作すれば、第１プレート９の左右方向の長さを調節可能であり、第１プレート９の外周面全体に装着した第１弾性パッキン２７を圧縮させて、壁板１の壁孔２に隙間なく密着させることができる。
【００３７】
次に図６及び図７に示すように、第２プレート２８を第１プレート９前面に重ね合わせ、各第３突出部３１の両第３長孔３２、各第４突出部３４の両長孔３５、第５突出部３７の丸孔３８にそれぞれねじ１５を挿通し、各第２ねじ１５ｂを第１プレート９の各第１ねじ孔１７に締結することで、第１プレート９に結合する。
【００３８】
そして図１及び図２に示すように、カバー４０を第２プレート２８の前面に重ね合わせ、各第５ねじ孔４５にそれぞれ第３ねじ１５ｄを挿通し、各第３ねじ１５ｄを第２プレート３６の各ねじ孔３３，３６，３９に締結することで、第２プレート３６に結合する。
【００３９】
次に図１及び図３に示すように、室内Ａ側から貫通金具Ｄに、第１保護管７に保護された給水管３を第１ガイド部４１に貫通させ、第２保護管７ａに保護された給湯管４を第２ガイド部４２に貫通させ、第３保護管８に保護された往管５及び第４保護管８ａに保護された復管６を第３ガイド部４３に貫通させる。そして、貫通金具Ｄの前部で、第１保護管７から引き出した給水管３、第２保護管７ａから引き出した給湯管４、第３保護管８から引き出した往管５及び第４保護管８ａから引き出した復管６を、室外Ｂに臨ませる。
【００４０】
次に給湯管３，給水管４，往管５及び復管６の先端を、給湯器Ｃの各連結管４６に各継手４７を介して接続する。
【００４１】
そして、カバー４０の第１ガイド部４１には第１キャップ４４を、第２ガイド部４２には第２キャップ４４ｂを、第３ガイド部４３には第３キャップ４４ｄを装着する。
【００４２】
このように本発明の貫通金具は、壁板の壁孔と寸法が異なっていても、上下及び左右に伸縮させて壁孔に隙間なく固定することができる。
【００４３】
【発明の効果】
本発明の貫通金具は、壁板の壁孔と貫通金具との間に寸法誤差が生じていても、貫通金具の第１プレートは上下又は左右の何れか一方又は両方に伸縮自在であるので、その寸法誤差を吸収して壁孔に隙間なく安定した状態で固定することができる。
【００４４】
また、貫通金具は壁孔の内周面全体に弾性パッキンを密着させ、カバーの各入口と給水管，給湯管，往管及び復管の間にキャップを装着したので、壁孔からの漏水を確実に防止し、気密性を確保することができる。
【図面の簡単な説明】
【図１】  本発明による貫通金具を給湯器と共に壁板に固定した状態の正面図である。
【図２】  壁板に固定された貫通金具の側断面図である。
【図３】  壁板に固定される貫通金具の分解斜視図である。
【図４】  壁板に貫通金具の第１プレートを固定した状態の正面図である。
【図５】  図４の貫通金具の縦断面図である。
【図６】  壁板に貫通金具の第１プレート及び第２プレートを固定した状態の正面図である。
【図７】  図６の貫通金具の縦断面図である。
【図８】  従来技術の説明図である。
【図９】  図８の貫通金具の斜視図である。
【符号の説明】
１                        壁板
２                        壁孔
３                        給水管
４                        給湯管
５                        往管
６                        復管
７                        第１保護管
７ａ                      第２保護管
９                        第１プレート
１０                      第１リング
１１                      第２リング
１２                      第１開口孔
１５ｄ                    第３ねじ
１９                      第１縦孔
２１                      第２縦孔
２２                      ターンバックル
２３                      第１ボルト
２３ｂ                    左ねじ部
２５                      第２ボルト
２５ｂ                    右ねじ部
２６                      回転棒
２７                      第１弾性パッキン
２８                      第２プレート
３０                      第２開口孔
３３                      第２ねじ孔
３６                      第３ねじ孔
３９                      第４ねじ孔
４０                      カバー
４１                      第１ガイド部
４２                      第２ガイド部
４３                      第３ガイド部
４４                      第４ねじ孔
４４ａ                    第１キャップ
４４ｂ                    第２キャップ
４４ｄ                    第３キャップ
Ａ                        室内
Ｂ                        室外
Ｄ                        貫通金具
【図１】
0004106945.tif 000002
【図２】
0004106945.tif 000003
【図３】
0004106945.tif 000004
【図４】
0004106945.tif 000005
【図５】
0004106945.tif 000006
【図６】
0004106945.tif 000007
【図７】
0004106945.tif 000008
【図８】
0004106945.tif 000009
【図９】
0004106945.tif 000010